(57)【要約】【課題】着用者に不快感を与え難い生体電位検出可能な衣服を提供する。【解決手段】絶縁領域１０は、厚みｔ１０を有する布帛であり、着用者Ｐの皮膚に接触する接触面１００を有する。電極領域１１は、厚みｔ１１を有する布帛であり、着用者Ｐの皮膚に接触する接触面１１０を有する。電極領域１１は、非導電性繊維に銀、銅等の金属や導電性高分子等の導電性物質を付加してなる導電性繊維を含む糸を、絶縁領域１０と段差がないように編み込んで形成される。【選択図】図６
2019076214.tif 000002
【特許請求の範囲】
【請求項１】
電気を絶縁する絶縁性繊維を編んで形成される絶縁領域と、
非導電性繊維に導電性物質を付加してなる導電性繊維を含む糸を、前記絶縁領域と段差がないように編み込んで形成される電極領域と、
を有し、
前記電極領域は、着用時に生体電位を検出可能なように着用者の身体に接触する位置に設けられている衣服。
【請求項２】
前記導電性繊維を含む前記糸は、伸縮率が少なくとも５０％以上である弾性繊維に、前記導電性繊維を巻きつけた導電性複合糸である
ことを特徴とする請求項１に記載の衣服。
【請求項３】
前記絶縁性繊維は、前記弾性繊維に前記非導電性繊維を巻きつけた絶縁性複合糸である
ことを特徴とする請求項２に記載の衣服。
【請求項４】
前記絶縁性複合糸における非導電性繊維の巻数が、前記導電性複合糸における前記導電性繊維の巻数と同じである
ことを特徴とする請求項３に記載の衣服。
【請求項５】
前記電極領域は、前記絶縁領域によって隔てられた２箇所に設けられている
ことを特徴とする請求項１から４のいずれか１項に記載の衣服。
【請求項６】
２箇所に設けられた前記電極領域のそれぞれが検出した前記生体電位を受信する受信機を備え、
前記各電極領域からそれぞれ伸びる配線と、
前記配線のそれぞれの端部に設けられて、前記受信機と接続する、２つの端子部と、
２つの前記端子部を結ぶ線上から離れて配置され、前記受信機を前記絶縁領域に固定する固定部と、
を有することを特徴とする請求項５に記載の衣服。
【請求項７】
前記電極領域は、前記着用者の胸部と腹部との間の皮膚に接触する位置に設けられている
ことを特徴とする請求項１から６のいずれか１項に記載の衣服。
【請求項８】
非導電性繊維に銀を付加してなる導電性繊維を、伸縮率が少なくとも５０％以上である弾性繊維に巻きつけて形成される導電性複合糸。
【請求項９】
前記非導電性繊維はナイロンであり、前記弾性繊維はポリウレタンである
ことを特徴とする請求項８に記載の導電性複合糸。
【請求項１０】
ポケットと開口部とを有する不織布と、
請求項８又は９に記載の導電性複合糸で形成された電極であって、前記不織布に接着される電極と、
前記ポケットに収納される受信機と、
前記電極から前記受信機までを接続する配線と、
を有し、
前記不織布の前記電極が接着された側を着用者の身体の前面に向け、前記開口部から該着用者の頭部を通して着用されることを特徴とする使い切り衣服。
【請求項１１】
前記ポケットは、前記着用者に着用されたときに前記前面の左側に配置される
ことを特徴とする請求項１０に記載の使い切り衣服。
【請求項１２】
前記ポケットは、前記着用者に着用されたときに裾側に入口を有し、
前記受信機は、前記入口から前記ポケットに収納される
ことを特徴とする請求項１０又は１１に記載の使い切り衣服。
【発明の詳細な説明】
【技術分野】
【０００１】
本発明は、生体電位を検出可能な衣服、導電性複合糸、及び使い切り衣服に関する。
【背景技術】
【０００２】
衣服に電極を設けて着用者の生体電位を検出するシステムが開発されている。特許文献１には、伸縮性を有する生地のうち電極の設置場所の周辺部を伸ばした状態で固定して、その電極を生体に密着させる密着手段を備えた生体電気信号モニタ用衣類が開示されている。
【先行技術文献】
【特許文献】
【０００３】
【特許文献１】特開２０１５−１００６７３号公報
【発明の概要】
【発明が解決しようとする課題】
【０００４】
特許文献１の技術は、生体電極を生地の所定領域に設置するため、厚みの分だけ生地の表面よりも生体電極の表面が生体に近い。つまり、特許文献１に記載された生体電気信号モニタ用衣類は、生体電極が設置された領域とそれ以外の領域とで段差が生じ得る構成である。さらに、特許文献１の技術では、生体電極を密着手段により生体に密着させるため、上述した段差の角等がこすれて不快感を生じさせ易い。
【０００５】
本発明は、着用者に不快感を与え難い生体電位検出可能な衣服を提供することを目的とする。
【課題を解決するための手段】
【０００６】
本発明の請求項１に係る衣服は、電気を絶縁する絶縁性繊維を編んで形成される絶縁領域と、非導電性繊維に導電性物質を付加してなる導電性繊維を含む糸を、前記絶縁領域と段差がないように編み込んで形成される電極領域と、を有し、前記電極領域は、着用時に生体電位を検出可能なように着用者の身体に接触する位置に設けられている衣服である。
【０００７】
本発明の請求項２に係る衣服は、請求項１に記載の態様において、前記導電性繊維を含む前記糸は、伸縮率が少なくとも５０％以上である弾性繊維に、前記導電性繊維を巻きつけた導電性複合糸であることを特徴とする衣服である。
【０００８】
本発明の請求項３に係る衣服は、請求項２に記載の態様において、前記絶縁性繊維は、前記弾性繊維に前記非導電性繊維を巻きつけた絶縁性複合糸であることを特徴とする衣服である。
【０００９】
本発明の請求項４に係る衣服は、請求項３に記載の態様において、前記絶縁性複合糸における非導電性繊維の巻数が、前記導電性複合糸における前記導電性繊維の巻数と同じであることを特徴とする衣服である。
【００１０】
本発明の請求項５に係る衣服は、請求項１から４のいずれか１項に記載の態様において、前記電極領域は、前記絶縁領域によって隔てられた２箇所に設けられていることを特徴とする衣服である。
【００１１】
本発明の請求項６に係る衣服は、請求項５に記載の態様において、２箇所に設けられた前記電極領域のそれぞれが検出した前記生体電位を受信する受信機を備え、前記各電極領域からそれぞれ伸びる配線と、前記配線のそれぞれの端部に設けられて、前記受信機と接続する、２つの端子部と、２つの前記端子部を結ぶ線上から離れて配置され、前記受信機を前記絶縁領域に固定する固定部と、を有することを特徴とする衣服である。
【００１２】
本発明の請求項７に係る衣服は、請求項１から６のいずれか１項に記載の態様において、前記電極領域は、前記着用者の胸部と腹部との間の皮膚に接触する位置に設けられていることを特徴とする衣服である。
【００１３】
本発明の請求項８に係る導電性複合糸は、非導電性繊維に銀を付加してなる導電性繊維を、伸縮率が少なくとも５０％以上である弾性繊維に巻きつけて形成される導電性複合糸である。
【００１４】
本発明の請求項９に係る導電性複合糸は、請求項８に記載の態様において、前記非導電性繊維はナイロンであり、前記弾性繊維はポリウレタンであることを特徴とする導電性複合糸である。
【００１５】
本発明の請求項１０に係る使い切り衣服は、ポケットと開口部とを有する不織布と、請求項８又は９に記載の導電性複合糸で形成された電極であって、前記不織布に接着される電極と、前記ポケットに収納される受信機と、前記電極から前記受信機までを接続する配線と、を有し、前記不織布の前記電極が接着された側を着用者の身体の前面に向け、前記開口部から該着用者の頭部を通して着用されることを特徴とする使い切り衣服である。
【００１６】
本発明の請求項１１に係る使い切り衣服は、請求項１０に記載の態様において、前記ポケットは、前記着用者に着用されたときに前記前面の左側に配置されることを特徴とする使い切り衣服である。
【００１７】
本発明の請求項１２に係る使い切り衣服は、請求項１０又は１１に記載の態様において、前記ポケットは、前記着用者に着用されたときに裾側に入口を有し、前記受信機は、前記入口から前記ポケットに収納されることを特徴とする使い切り衣服である。
【発明の効果】
【００１８】
本願に係る発明によれば、着用者に不快感を与え難い生体電位検出可能な衣服が提供される。
【図面の簡単な説明】
【００１９】
【図１】本実施形態に係る検出システム９の例を示す図。
【図２】送受信機２の構成を示す図。
【図３】送受信機２の外観を示す図。
【図４】端末３の構成の例を示す図。
【図５】衣服１の検出領域を正面から見た図。
【図６】衣服１の検出領域の断面図。
【図７】導電性複合糸１１１の構成を示す図。
【図８】導電性複合糸１１１を編んで形成される電極領域１１の一例を示す図。
【図９】着用者Ｐに触れる面に段差が生じる衣服８を示す図。
【図１０】変形例に係る使い切り衣服４を有する検出システム９ａの例を示す図。
【図１１】使い切り衣服４の形状を示す図。
【図１２】使い切り衣服４における検出領域の断面図。
【図１３】段差がないように形成された使い切り衣服４の断面図。
【発明を実施するための形態】
【００２０】
＜実施形態＞
＜検出システムの構成＞
以下の説明で衣服１等の「内側」とは、着用者Ｐの身体に近い側であり、「外側」とは、着用者Ｐの身体から遠い側である。
【００２１】
図１は、本実施形態に係る検出システム９の例を示す図である。図１に示す通り、検出システム９は、衣服１、送受信機２、及び端末３を有する。本実施形態に係る検出システム９は、衣服１の着用者Ｐから生体電位を検出し、この生体電位を示す生体情報を端末３にて利用者に知らせるシステムである。
【００２２】
生体情報は、検出した生体電位から得られる情報であり、例えば、心電、心拍、呼吸、脈波、体温、筋電、脳波、眼球電位、血圧、発汗量、血糖値、湿度等が挙げられるが、着用者Ｐの身体が電極領域に触れることで得られる情報であれば何でもよい。以下の説明で生体情報は心電である。
【００２３】
衣服１は、着用者Ｐが着用する衣服であって、電気を絶縁する絶縁性繊維を編んで形成される絶縁領域１０と、着用者Ｐの生体電位を検出するための電極領域１１と、が設けられた衣服である。電極領域１１は、着用時に生体電位を検出可能なように着用者Ｐの身体に接触する位置に設けられている。
【００２４】
本実施形態において、検出の目的とする生体情報は心電であるため、筋電位はノイズになる。例えば、大胸筋や腹直筋等に近い部位に電極領域１１を設けると、筋電位が影響して心電を測定し難い。そのため本実施形態において電極領域１１は、着用者Ｐの胸部と腹部との間であって、大胸筋及び腹直筋等の筋電位に影響を受け難い部位に設けられる。すなわち、電極領域１１は、着用者Ｐの胸部と腹部との間の皮膚に接触する位置に設けられている。以下、着用者Ｐの胸部と腹部との間の領域を「検出領域」と呼ぶ。
【００２５】
電極領域１１は、検出領域の左右にそれぞれ１箇所ずつ設けられ、それらに挟まれた位置、つまり着用者Ｐのみぞおちに相当する部位には、送受信機２を取り付ける領域が設けられる。
【００２６】
送受信機２は、電極領域１１により検出された着用者Ｐの生体情報を受信して、その生体情報に応じた信号（生体信号）を端末３に送信するデバイスである。送受信機２は、例えば、ＩＥＥＥ８０２．１５．１規格に準じた近距離無線通信を用いて生体信号を端末３に送信する。
【００２７】
端末３は、例えばスマートフォンやタブレットＰＣ等であり、送受信機２から受信した信号に基づいて着用者Ｐの生体情報を利用者に知らせるデバイスである。
【００２８】
端末３が通信回線５を介して送受信機２と接続する場合、検出システム９は通信回線５を含んでもよい。通信回線５とは、送受信機２と端末３との情報の遣り取りを仲介する回線であり、例えばインターネットである。送受信機２から送信される生体信号は、通信回線５に接続されたクラウドシステム等の情報処理装置群に記憶され、これらの情報処理装置群から端末３に提供されてもよい。
【００２９】
＜送受信機の構成＞
図２は、送受信機２の構成を示す図である。制御部２１は、ＣＰＵ（Central Processing Unit）、ＲＯＭ（Read Only Memory）、ＲＡＭ（Random Access Memory）を有し、ＣＰＵがＲＯＭ及び記憶部２２に記憶されているコンピュータプログラム（以下、単にプログラムという）を読み出して実行することにより送受信機２の各部を制御する。
【００３０】
記憶部２２は、ソリッドステートドライブ等の記憶手段であり、制御部２１のＣＰＵに読み込まれる各種のプログラムを記憶する。
【００３１】
通信部２３は、無線により端末３に接続する通信回路である。送受信機２は、通信部２３により端末３に、衣服１で検出された生体情報を示す生体信号を送信する。
【００３２】
端子部２６は、後述する衣服１の電極領域１１から引かれた配線１２と接続する端子である。端子部２６は、例えば凹部を有したホックである。送受信機２は、端子部２６を介して衣服１から生体情報を受信し、受信した生体情報を示す生体信号を、通信部２３を介して端末３に送信する。
【００３３】
図３は、送受信機２の外観を示す図である。送受信機２を着用者Ｐの右側から見た図が図３（ａ）であり、着用者Ｐの左側から見た図が図３（ｃ）である。また、送受信機２を着用者Ｐの正面（外側）から見た図が図３（ｂ）であり、着用者Ｐの身体の側（内側）から見た図が図３（ｄ）であり、送受信機２を着用者Ｐの下側から見た図が図３（ｅ）である。
【００３４】
図３に示す通り、送受信機２には、２つの端子部２６に加えて固定部２７が設けられている。固定部２７は、２つの端子部２６を結ぶ線上から離れて配置されている。固定部２７は、送受信機２を衣服１に固定するための構成であり、例えば凹部を有したホックである。
【００３５】
＜端末の構成＞
図４は、端末３の構成の例を示す図である。端末３は、制御部３１、記憶部３２、通信部３３、表示部３４、及び操作部３５を有する。
【００３６】
制御部３１は、ＣＰＵ、ＲＯＭ、ＲＡＭを有し、ＣＰＵがＲＯＭ及び記憶部３２に記憶されているプログラムを読み出して実行することにより端末３の各部を制御する。
【００３７】
記憶部３２は、ソリッドステートドライブ等の記憶手段であり、制御部３１のＣＰＵに読み込まれる各種のプログラムを記憶する。
【００３８】
通信部３３は、無線により送受信機２に接続する通信回路である。端末３は、通信部３３により送受信機２から、衣服１で検出された生体情報を示す生体信号を受信する。
【００３９】
操作部３５は、各種の指示をするための操作ボタン等の操作子を備えており、利用者による操作を受付けてその操作内容に応じた信号を制御部３１に供給する。操作部３５は、利用者の指又はスタイラスペン等の操作体を検知するタッチパネルを有してもよい。
【００４０】
表示部３４は、液晶ディスプレイ等の表示画面を有しており、制御部３１の制御の下、画像を表示する。表示画面の上には、操作部３５の透明のタッチパネルが重ねて配置されてもよい。
【００４１】
表示部３４は、制御部３１の制御の下、生体情報に応じた画像を表示する。例えば、表示部３４は、送受信機２から得た心電を示す生体情報に基づいて、心電図、心電波形を表示する。また、表示部３４は、心拍の変動時系列データであるＲＲＩ（R-R Interval）や心拍数を文字により表示してもよい。
【００４２】
なお、端末３が生体情報を利用者に知らせる方法は表示部３４による表示に限られない。例えば、端末３は、音を出力して生体情報を知らせるスピーカー等の放音装置を有していてもよい。
【００４３】
＜衣服の構成＞
図５は、衣服１の検出領域を正面から見た図である。検出領域には左右のそれぞれに絶縁領域１０によって隔てられた電極領域１１が設けられている。これら２箇所に設けられた電極領域１１からは、それぞれ配線１２が伸びている。
【００４４】
電極領域１１及び配線１２は、外側に露出させると、導電性の物体に触れることによって短絡する場合がある。この短絡を防ぐため、電極領域１１及び配線１２は、外側を絶縁部材１４によって覆われる。絶縁部材１４は、例えば加熱及び加圧することにより接着されるウレタンシート等であり、衣服１の電極領域１１及びその周囲の絶縁領域１０に接着される。
【００４５】
２本の配線１２のそれぞれの端部には端子部１３が設けられている。この端子部１３は、絶縁部材１４を貫通して外部に露出している。端子部１３は、送受信機２に信号を送るために端子部２６と接続して通信経路を構成する端子である。例えば端子部２６が凹部を有したホックである場合、端子部１３は、この凹部にはめ込まれる形状の凸部を有したホックである。
【００４６】
固定部１５は、送受信機２を衣服１に固定するための構成であり、絶縁部材１４の上に縫合等により固定されている。例えば送受信機２の固定部２７が凹部を有したホックである場合、固定部１５は、この凹部にはめ込まれる形状の凸部を有したホックである。
【００４７】
図５に示す通り固定部１５は、２つの端子部１３を結ぶ線Ｌの上から離れて配置される。これは、線Ｌの延長線上に固定部１５を設けると、線Ｌを中心軸として送受信機２が回転するため、送受信機２が衣服１に安定して固定され難くなるからである。固定部１５は、線Ｌから離れて配置されることにより、送受信機２を衣服１の絶縁領域１０に固定する。
【００４８】
図６は、衣服１の検出領域の断面図である。絶縁領域１０は、厚みｔ１０を有する布帛であり、着用者Ｐの皮膚に接触する接触面１００を有する。電極領域１１は、厚みｔ１１を有する布帛であり、着用者Ｐの皮膚に接触する接触面１１０を有する。
【００４９】
電極領域１１は、非導電性の繊維（非導電性繊維という）に銀、銅、ステンレス、ニッケル、アルミ等の金属の導電性物質や、カーボン、導電性高分子等の非金属の導電性物質を付加してなる導電性繊維を含む糸を、絶縁領域１０と段差がないように編み込んで形成される。このため、図６に示す通り、接触面１００と接触面１１０とには段差がないから、接触面１００及び接触面１１０の境界部分が着用者Ｐの皮膚にこすれることがほぼなくなり、着用者Ｐに不快感を与え難い。
【００５０】
なお、接触面１００と接触面１１０とには、着用者Ｐに感知される段差がなければよく、例えば、数ミリメートル程度の着用者Ｐに感知されない段差があってもよい。電極領域１１を、絶縁領域１０と一体に編み込む手段には、例えば、コンピュータにより制御される無縫製横編機等が用いられる。
【００５１】
＜導電性複合糸の構成＞
上述した通り、絶縁領域１０は、電気を絶縁する絶縁性繊維を編んで形成される。そして、電極領域１１は、導電性繊維を含む糸を、絶縁領域１０を形成する絶縁性繊維とともに編み込んで、絶縁領域１０と段差がないように形成される。ここでは、導電性繊維を含む糸の例として導電性複合糸１１１を説明する。
【００５２】
図７は、導電性複合糸１１１の構成を示す図である。導電性複合糸１１１は、弾性繊維１１１０に導電性繊維１１１１を巻きつけて形成される複合糸である。弾性繊維１１１０は、伸縮率が少なくとも５０％以上である繊維であり、例えばポリウレタンである。導電性繊維１１１１は、非導電性繊維に導電性物質を付加してなる繊維であり、例えば、ナイロンに銀をメッキした糸である。生体電位を安定して検出するため、ナイロンに対する銀の比率は１０重量パーセント以上であればよいが、３０重量パーセント以上であることがより望ましい。
【００５３】
なお、弾性繊維１１１０は、ポリウレタンに限られず、例えば、弾性を有するポリエステル、天然ゴム繊維、熱収縮させたナイロン等であってもよい。また、非導電性繊維はナイロンに限られず、導電性が決められた閾値を下回る繊維であれば、セルロースや生糸等の天然繊維や他の合成繊維であってもよい。非導電性繊維に天然繊維を用いることにより、衣服１は、着用者Ｐが合成繊維にアレルギーがある場合でも着用可能となる。
【００５４】
また、非導電性繊維に導電性物質を付加する方法はメッキに限られず、例えば、蒸着、スパッタリング、金属泊の接着、含浸等であってもよい。導電性繊維１１１１は、例えば、アクリル繊維に硫化銅を含浸させて形成されてもよい。
【００５５】
導電性複合糸１１１は、弾性繊維１１１０を芯糸としてその周囲に二重に導電性繊維１１１１を巻きつけて形成される。すなわち、導電性複合糸１１１は、ダブルカバードヤーンにより形成される。
【００５６】
導電性複合糸１１１は、まず、弾性繊維１１１０には導電性繊維１１１１である下巻糸１１１１ａをピッチαで巻きつけ、その上に逆方向に導電性繊維１１１１である上巻糸１１１１ｂをピッチαで巻きつけて形成される。これにより直径Ｄ１で、ピッチαの導電性複合糸１１１が形成される。ピッチαとは、単位長さ当たりにおける導電性繊維１１１１の巻きつける回数（以下、巻数ともいう）である。
【００５７】
図８は、導電性複合糸１１１を編んで形成される電極領域１１の一例を示す図である。例えば、電極領域１１は、導電性複合糸１１１を図８に示すパターンで編み込むことにより布帛状に形成される。導電性複合糸１１１は、芯糸に伸縮率が少なくとも５０％以上である弾性繊維１１１０を用いているため、電極領域１１は、それ自体が伸縮し易く、着用者Ｐの皮膚に沿って密着し易い。
【００５８】
また、電極領域１１に隣接して形成される絶縁領域１０は、絶縁性繊維を編んで形成されるが、この絶縁性繊維は、弾性繊維１１１０に非導電性繊維を巻きつけて形成される絶縁性複合糸であってもよい。
【００５９】
この場合、絶縁領域１０を形成する絶縁性複合糸は、図７に示した導電性複合糸１１１と同じ直径Ｄ１となるように、非導電性繊維を弾性繊維１１１０に巻きつけて形成されてもよい。絶縁性複合糸は、導電性複合糸１１１において弾性繊維１１１０に導電性繊維１１１１を巻きつける回数と同じ回数で、弾性繊維１１１０に非導電性繊維をピッチαで巻きつけて形成されてもよい。つまり、絶縁性複合糸における弾性繊維に対する非導電性繊維の巻数は、導電性複合糸における弾性繊維に対する導電性繊維の巻数と同じであってもよい。
【００６０】
絶縁領域１０を形成する絶縁性複合糸と、電極領域１１を形成する導電性複合糸１１１とで巻数やピッチが同じに揃えられることにより、絶縁領域１０と電極領域１１との境界の段差は、着用者Ｐに感じられ難くなる。また、絶縁性複合糸は、導電性複合糸１１１と同様に、シングルカバードヤーンではなく、ダブルカバードヤーンにより形成されることが望ましい。なお、絶縁性複合糸は、導電性複合糸１１１がシングルカバードヤーンにより形成されている場合に、導電性複合糸１１１と形成方法が一致するように、シングルカバードヤーンにより形成されてもよい。
【００６１】
特に、絶縁性複合糸と導電性複合糸１１１とにそれぞれ用いる弾性繊維及び非導電性繊維を同一素材、同一径で揃えることが望ましい。これにより、絶縁性複合糸と導電性複合糸１１１との差は、非導電性繊維に導電性物質を付加したか否かに過ぎなくなり、体積への影響はほぼなくなる。このように構成された絶縁性複合糸と導電性複合糸１１１とを一体に編み込むことにより、絶縁領域１０と電極領域１１とはシームレスに繋がり、衣服１には段差がなくなる。
【００６２】
なお、同じ巻数とは、着用者Ｐにとって感知し得ないのであれば、厳密に同じ巻数でなくてもよい。例えば、導電性複合糸１１１において弾性繊維１１１０に導電性繊維１１１１を巻きつける巻数と、絶縁性複合糸において弾性繊維１１１０に非導電性繊維を巻きつける巻数との比率は、例えば±２０％の範囲、好ましくは±５％の範囲に入っていればよい。
【００６３】
図９は、着用者Ｐに触れる面に段差が生じる衣服８を示す図である。衣服８は、絶縁領域８０、電極領域８１、配線８２、端子部８３、及び絶縁部材８４を有する。電極領域８１は、例えば、導電性繊維を含む糸を絶縁領域８０とともに編み込んで形成されるが、絶縁領域８０を形成する糸と、電極領域８１を形成する糸とで、糸の構成（単一の繊維であるか複合糸であるか）、直径、巻数、ピッチ等を揃えていない。そのため、電極領域８１が着用者Ｐの皮膚に接触する接触面８１０と、絶縁領域８０が着用者Ｐの皮膚に接触する接触面８００とには、着用者Ｐに感知される程度の段差δが生じている。
【００６４】
この構成の場合、絶縁領域８０と電極領域８１との境界が着用者Ｐの皮膚にこすれて着用者Ｐに不快感を与えることがある。また、電極領域８１が着用者Ｐの皮膚から離れやすいため、生体電位の検出が不安定になる。
【００６５】
上述した通り、本実施形態における衣服１は、絶縁領域１０と電極領域１１とに、着用者Ｐが感知し得る程度の段差がないように形成されるため、着用者Ｐに不快感を与え難く、生体電位の検出が不安定になり難い。
【００６６】
＜変形例＞
以上が実施形態の説明であるが、この実施形態の内容は以下のように変形し得る。また、以下の変形例を組合せてもよい。
【００６７】
＜変形例１＞
上述した実施形態において、衣服１は、絶縁領域１０が絶縁性複合糸を編んで形成されていたが、不織布で形成されていてもよい。不織布は比較的安価で大量生産が可能であるため、絶縁領域を不織布で形成した衣服は、使い切りの衣服として用いてもよい。
【００６８】
図１０は、変形例に係る使い切り衣服４を有する検出システム９ａの例を示す図である。検出システム９ａは、送受信機２、端末３に加えて、上述した実施形態の衣服１の代わりに使い切り衣服４を有する。
【００６９】
使い切り衣服４は、不織布で形成される絶縁領域４０と、上述した導電性複合糸１１１で形成された電極であって、不織布に接着される電極領域４１とを有する。着用者Ｐの左右の側面には面ファスナー４６が設けられている。この面ファスナー４６は、一枚の不織布の異なる部分を貼り付けて固定し、使い切り衣服４を形成するのに用いられる。面ファスナー４６によって使い切り衣服４が形成されることにより、着用者Ｐの皮膚に負担がかかり難く、着脱が容易であり、複数回にわたる着用にも耐久可能となる。
【００７０】
絶縁領域４０には、入口４７０を有するポケット４７が設けられる。ポケット４７が設けられる位置は、使い切り衣服４の外側に設けられるのであればどこであってもよいが、着用者Ｐの身体の前面が望ましい。また、ポケット４７は、使い切り衣服４が着用者Ｐに着用されたときに、前面のうち特に左側に配置されることが望ましい。使い切り衣服４が着用者Ｐに着用されたときに、ポケット４７が身体の前面の左側に配置されることで、着用者Ｐが例えば寝返りをしたときに負担が少ない。特に、着用者Ｐが胃の方向を重力が働く方向に揃えるように、右側を下にして睡眠を取っている場合、ポケット４７が前面の左側に配置されていれば、ポケット４７が着用者Ｐの身体の下に移動することが少ない。
【００７１】
ポケット４７は、例えば絶縁領域４０を形成する不織布の上に矩形に切り取られた不織布の３辺を縫い付けて形成される。ポケット４７が縫い付けられる辺は、着用者Ｐから見て上、右、左の３辺であり、下側の１辺は縫い付けずに開口されて、入口４７０を形成する。すなわち、ポケット４７は、着用者Ｐに着用されたときに裾側に入口４７０を有する。送受信機２は、入口４７０から上に向けてポケット４７の中に収納される。裾側に入口４７０を有するため、着用者Ｐがポケット４７から間違えて送受信機２を取り外す可能性が抑制される。
【００７２】
電極領域４１から送受信機２までは配線４２によって接続されている。これにより、電極領域４１で検出された着用者Ｐの生体電位に基づく生体情報は、配線４２を経由して送受信機２に受信され、送受信機２から端末３に送信される。
【００７３】
図１１は、使い切り衣服４を形成する不織布を示す図である。使い切り衣服４は、ポケット４７と開口部４８とを有する一枚の不織布に、電極領域４１、配線４２、及び端子部４３（図１１において省略）を付加して形成される。図１１（ａ）には、使い切り衣服４として用いられるときに外側となる不織布の面が示されている。また、図１１（ｂ）には、使い切り衣服４として用いられるときに内側となる不織布の面が示されている。図１１（ｂ）に示すように、不織布の内側には、着用者Ｐの胸部と腹部との間の検出領域に電極領域４１が２箇所設けられている。
【００７４】
図１１において、開口部４８の中心線Ｏから右側が着用者Ｐの正面側であり、中心線Ｏから左側が着用者Ｐの背面側である。図１１（ａ）に示す不織布を中心線Ｏが山折になるように折り、開口部４８から着用者Ｐの頭部を通し、面ファスナー４６を接着することで、使い切り衣服４は着用者Ｐに着用される。このように、一枚の不織布を一度折り、２箇所の側面で面ファスナーを接着させるだけで、この不織布は使い切り衣服４として着用可能となるため、縫製等の工程が不要であり、製造コストが抑制される。
【００７５】
図１２は、使い切り衣服４における検出領域の断面図である。端子部４３は、実施形態における端子部１３と共通の構成であり、端子部２６と接続する。絶縁領域４０は、厚みｔ４０を有する布帛であり、着用者Ｐの皮膚に接触する接触面４００を有する。電極領域４１は、厚みｔ４１を有する布帛であり、着用者Ｐの皮膚に接触する接触面４１０を有する。
【００７６】
電極領域４１は、絶縁領域４０である不織布に接着されている。そのため、接触面４１０は、接触面４００よりも、電極領域４１の厚みｔ４１だけ着用者Ｐに近い。この場合、この段差が着用者Ｐに認識されることがある。しかし、絶縁領域４０は、不織布で形成されるため、圧縮により変形され易い。したがって、不織布の変形によって上述した段差が吸収されることがある。
【００７７】
また、絶縁領域４０は、予め加工されてもよい。図１３は、絶縁領域４０と電極領域４１とで段差がないように形成された使い切り衣服４の断面図である。絶縁領域４０には、電極領域４１を設ける部位に、深さが厚みｔ４１にほぼ同じになるように、予め凹部４０１が形成されている。この凹部４０１は、例えば、カッター等で不織布の一部を削り取ることなどによって形成される。この凹部４０１に厚みｔ４１を有する電極領域４１をはめ込み、接着することで、接触面４００と接触面４１０との段差がほぼなくなる。
【００７８】
＜変形例２＞
上述した実施形態において、送受信機２は、無線通信により端末３と接続して端末３に生体情報を送信していたが、送信機能がない、受信機であってもよい。例えば、送受信機２は、受信した生体情報を記憶部２２に記憶するデータロガーであってもよい。
【００７９】
＜変形例３＞
上述した実施形態において、絶縁性複合糸は、導電性複合糸１１１と同じ直径Ｄ１となるように、非導電性繊維を弾性繊維１１１０に巻きつけて形成されていたが、絶縁領域１０と電極領域１１とに段差がないように衣服１が形成されるのであれば、絶縁性複合糸と導電性複合糸１１１とは、直径が異なっていてもよい。
【００８０】
また、絶縁性複合糸は、導電性複合糸１１１において弾性繊維１１１０に導電性繊維１１１１を巻きつける回数と異なる回数で、弾性繊維１１１０に非導電性繊維を巻きつけて形成されてもよい。例えば、絶縁性複合糸に、導電性複合糸１１１と異なる巻数のものを用いたとしても、編み方のパターン等を電極領域１１と変えることにより、絶縁領域１０と電極領域１１とに段差がないようにすればよい。
【符号の説明】
【００８１】
１…衣服、１０…絶縁領域、１００…接触面、１１…電極領域、１１０…接触面、１１１…導電性複合糸、１１１０…弾性繊維、１１１１…導電性繊維、１１１１ａ…下巻糸、１１１１ｂ…上巻糸、１２…配線、１３…端子部、１４…絶縁部材、１５…固定部、２…送受信機、２１…制御部、２２…記憶部、２３…通信部、２６…端子部、２７…固定部、３…端末、３１…制御部、３２…記憶部、３３…通信部、３４…表示部、３５…操作部、４…使い切り衣服、４０…絶縁領域、４００…接触面、４０１…凹部、４１…電極領域、４１０…接触面、４２…配線、４３…端子部、４６…面ファスナー、４７…ポケット、４７０…入口、４８…開口部、５…通信回線、８…衣服、８０…絶縁領域、８００…接触面、８１…電極領域、８１０…接触面、８２…配線、８３…端子部、８４…絶縁部材、９…検出システム、９ａ…検出システム、Ｄ１…直径、Ｌ…線、Ｏ…中心線、Ｐ…着用者。
【図１】
2019076214.tif 000003
【図２】
2019076214.tif 000004
【図３】
2019076214.tif 000005
【図４】
2019076214.tif 000006
【図５】
2019076214.tif 000007
【図６】
2019076214.tif 000008
【図７】
2019076214.tif 000009
【図８】
2019076214.tif 000010
【図９】
2019076214.tif 000011
【図１０】
2019076214.tif 000012
【図１１】
2019076214.tif 000013
【図１２】
2019076214.tif 000014
【図１３】
2019076214.tif 000015